(57)【要約】  放射線防護衝立て。本発明は、二つの主面（２，３）を有する放射線防護衝立て（１）に関する。本発明によると、放射線防護衝立て（１）は、衝立てを強固にして両側のいずれかでペイン（５、６）を保持する枠組み（４）を含み；パネル（５、６）の一つ（５）が放射線防護性である。本発明さらに、互いに接続されたまたは接合可能な少なくとも二つの衝立て（１）を含むシステムを含む。【選択図】図１
2019500622.tif 000002
【特許請求の範囲】
【請求項１】
二つの主面（２、３）を含む放射線防護衝立て（１）であって、前記衝立て（１）を強固にして各側にパネル（５、６）を保持する枠組み（４）を備え、前記パネル（５、６）の一つ（５）が放射線防護性であることを特徴とする放射線防護衝立て。
【請求項２】
前記枠組み（４）が、部分品（９、１０、１１、１２、１３）の組み立て体により形成されていることを特徴とする、請求項１に記載の放射線防護衝立て（１）。
【請求項３】
各部分品（９、１０、１１、１２、１３）が概ねＵ字形の形態を有し、各側部パネルがパネル（５、６）を保持することを特徴とする、請求項２に記載の放射線防護衝立て（１）。
【請求項４】
放射線防護グレージング（１７）を備えていることを特徴とする、請求項１〜３のいずれか一項に記載の放射線防護衝立て（１）。
【請求項５】
衝立ての縁部（１）を形成し前記二つのパネル（５、６）の周縁部を覆う周辺ケーシング（２６）を備えていることを特徴とする、請求項１〜４のいずれか一項に記載の放射線防護衝立て（１）。
【請求項６】
前記周辺ケーシング（２６）が、前記二つのパネル（５、６）の下側の周縁部を覆うスカートボード（３０）を備えていることを特徴とする、請求項５に記載の放射線防護衝立て（１）。
【請求項７】
スカートボード（３０）が床に固定されるように構成されていることを特徴とする、請求項６に記載の放射線防護衝立て（１）。
【請求項８】
スカートボード（３０）がホイール（３１）に固定されていることにより衝立て（１）が移動することを特徴とする、請求項６に記載の放射線防護衝立て。
【請求項９】
基部（３２）がスカートボード（３０）に固定されてホイール（３１）を取り囲んでいることを特徴とする、請求項８に記載の放射線防護衝立て（１）。
【請求項１０】
棚が、非放射線防護パネル側（６）で枠組み（４）に取り付けられていることを特徴とする、請求項１〜９のいずれか一項に記載の放射線防護衝立て（１）。
【請求項１１】
少なくとも請求項２において、枠組み（４）が、外部部分品（９、１０、１１）と内部部分品（１２、１３）とを備え、前記パネル（５、６）が、少なくとも前記内部部分品を覆うことを特徴とする、請求項１〜１０のいずれか一項に記載の放射線防護衝立て。
【請求項１２】
互いに接続されたまたは結合可能な少なくとも二つの衝立てを備え、そのうちの少なくとも一つが請求項１〜１０のいずれか一項に記載のものであるシステム。
【請求項１３】
前記衝立てが、少なくとも一つの蝶番の手段によって結合されている、請求項１１に記載のシステム。
【発明の詳細な説明】
【技術分野】
【０００１】
この発明は、放射線防護衝立てに関する。
【背景技術】
【０００２】
典型的には、放射線防護衝立てを使用して、電離放射線を放射する構成要素から人を分離し、その人をこうした放射線から防護する。
【０００３】
この目的のために、放射線防護衝立ては、放射線防護シート（典型的には鉛シート）で被覆されたパネルを含む。
【発明の概要】
【発明が解決しようとする課題】
【０００４】
しかしながら、衝立ての剛性は、パネルのみに由来し、放射線防護シートを穿孔しないようするため、それには何も取り付けることができない。加えて、可動衝立ての場合、高さが概して約１５ｃｍに等しいホイール位置での放射線防護は存在しない。
【０００５】
本発明は、上記の問題を解決することを目的とし、詳細には衝立てへの対象物の取付けを、放射線防護シートを変更せずに可能とすることを目的とする。
【課題を解決するための手段】
【０００６】
本発明によると、放射線防護衝立ては二つの主面を備えたものであり、衝立てを強固にしてそれぞれの側でパネルを保持する枠組みを備え、パネルの一方が放射線防護性を有することを特徴とする。従って、本発明に係る衝立ては剛性の枠組みを備え、この枠組みは、一方の側では放射線防護パネルと、もう一方の側では、対象物に確実に固定することができるパネルとを保持しており、確実な固定は、対象物をその枠組みに固定することにより行う。典型的には、枠組みの厚さは約５ｃｍである。
【０００７】
第１の実施形態によれば、枠は部分品の組み立て体によって形成されている。結果として、枠組みの構造は特に軽量である。「部分品」とは、詳細には、長手軸に沿って好ましくは開いている長手構造、例えば「Ｕ」、「Ｌ」または「Ｖ」字形断面を有する構造を意味する。組み立てられた部分品はひとつに接続されて、衝立てを強固にする枠組みを形成する。
【０００８】
より詳細には、枠組みは、外部部分品と内部部分品とを備え、前記部分品は少なくとも内部部分品を覆っている。
【０００９】
第１の実施形態の第１の変形形態によると、各部分品はステンレス鋼製である。結果として、枠組みはステンレス鋼製である。
【００１０】
第１の実施形態の第２の変形形態によると、各部分品は、概ねＵ字形の形態を有しており、各側部パネルは衝立ての側部を保持する。したがって、これらの部分品の位置がわかると、対象物を、非放射線防護側を支持する側部パネルに取り付けることが可能である。
【００１１】
第１の実施形態の第３の変形形態によれば、部分品の組み立て体は、衝立ての外側限界を形成する外枠を備えている。
【００１２】
第１の実施形態の第１に優先される第３の変形形態によると、外枠を構成する部分品が概ねＵ字形の形態を有する場合、それらの部分品は、Ｕ字の中央の分岐部が衝立ての内側に配置されるような向きをとる。結果として、外枠の縁部は、Ｕの開口部によって形成されている。
【００１３】
第１の実施形態の第２に優先される第３の変形形態によると、部分品の組み立て体は、外枠の二つの鉛直部分品の一方から他方に延びた、少なくとも一つの水平部分品を備えている。有利には、部分品の組み立て体は、二つの平行な鉛直部分品を備え、これらの部分品は、二つの隣接する水平部分品の間に延びている。結果として、二つの隣接する水平部分品と、二つの平行な鉛直部分品とが、枠組みにおける矩形の枠を画定する。
【００１４】
第２の実施形態によれば、非放射線防護パネルは、枠組みに固定された内側パネルと、内側パネルを覆う外側パネルとを備えている。典型的には、内側パネルの厚さは約１２から１６ｍｍであり、外側パネルの厚さは約１から２ｍｍである。
【００１５】
第２の実施形態の第１の変形形態によれば、内側パネルは合板、好ましくは、良好な湿度性状（ＣＴＢＨ）を有する合板である。
【００１６】
第２の実施形態の第２の変形形態によると、外側パネルは積層パネルである。積層パネルは着色することができる。
【００１７】
第２の実施形態の第３の変形形態によれば、放射線防護パネルは、枠組みに取り付けられた鉛シート（典型的には１から２ｍｍの厚さ）と、鉛シートに取り付けられた非放射線防護パネルとを備えている。よって、放射線防護パネルは、枠組みに取り付けられた鉛シートと、鉛シートに取り付けられた内側パネルと、内側パネルに取り付けられた外側パネルとを含む。鉛シートは、その配置をとることによって放射線防護パネルの放射線防護性を提供する。
【００１８】
第３の実施形態によれば、放射線防護衝立ては、放射線防護グレージング（ｇｌａｚｉｎｇ）を含む。典型的には、放射線防護グレージングは、いわゆる鉛グレージングである。したがって、各パネルは開口部を含み、その中に放射線防護グレージングが配置されている。
【００１９】
第３の実施形態の第１の変形形態によると、放射線防護グレージングは、二つの平行な鉛直部分品と、第１の実施形態の第２に優先される第３の変形形態の有利なモードの二つの隣接する水平部分品とによって取り囲まれている。
【００２０】
第３の実施形態の第２の変形形態によると、放射線防護衝立ては、二つのグレージングビード（ｇｌａｚｉｎｇ  ｂｅａｄ）を備え、各グレージングビードは、パネルと放射線防護グレージングとの接合部に配置されている。
【００２１】
第３の実施形態の第２の変形形態の第１の利点によると、第１のグレージングビードは、Ｌ字形断面を有し、その一方の分岐部は、一方のパネルの開口部の周縁部を覆い、もう一方の分岐部は、枠組みに載っている。
【００２２】
第３の実施形態の第２の変形形態の第２の利点によれば、単純な箱の形態をとる第２のグレージングビードは、放射線防護グレージングとパネルの開口部との周縁部を覆っている。
【００２３】
第３の実施形態の第２の変形形態の第２の利点の有利な実施形態によると、第２のフロントガラスはさらなる放射線防護シートを覆っており、このシートは、放射線防護パネル内に形成された周辺溝の中に延びて放射線防護グレージングの周辺リムを覆い、このリム（ｒｉｍ）もまたその溝の中に配置されている。好ましくは、第２のグレージングビードは、周辺溝を取り囲むパネルの部分に（ネジにより）固定されている。
【００２４】
第３の実施形態の第２の変形形態の第３の利点によれば、グレージングビードはアルミニウム製である。
【００２５】
第４の実施形態によれば、放射線防護衝立ては、それを変位させることができるホイールを備えている。
【００２６】
第４の実施形態の第１の変形形態によると、ホイールは鉛直軸に対して枢動する。結果として、衝立ての向きを変化させるのが容易になる。
【００２７】
第４の実施形態の第２の変形形態によると、衝立ては、ホイールを取り囲む基部を備えている。
【００２８】
第４の実施形態の第２の変形形態の第１の利点によると、放射線防護フィルム（典型的には鉛フィルム）が基部に確実に固定されており、これは、放射線防護パネルによってなされる放射線防護の連続性をホイールの高さで保証するためである。
【００２９】
第４の実施形態の第２の変形形態の第２の利点によると、基部は、枠組みに接続された上側の壁と、上側の壁から吊り下がってホイールを取り囲む４つの側壁とを備えている。典型的には側壁は、最上壁から、ホイールを静止させている地面の近傍の距離（地面から約１ｃｍ）まで延びている。
【００３０】
加えて、ホイールの位置での防護パネルとは異なり、基部が防護することによって、パネルのすぐ下の地面で反射され得る拡散放射線を制限することができる。
【００３１】
第４の実施形態の第２の変形形態の第１に優先される第２の利点によると、放射線防護フィルムはまず、前面の側で延びた上側の壁の部分に沿って延びており、他方では、また前面の側に位置する側壁に沿って延びている。
【００３２】
第４の実施形態の第２の変形形態の第２に優先される第２の利点によると、上側の壁と４つの側壁はステンレス鋼製である。
【００３３】
第４の実施形態の第２の変形形態の第３に優先される第２の利点によると、スカートボード（ｓｋｉｒｔｉｎｇ  ｂｏａｒｄ）は、基部を枠組みに固定するように接続する。有利にはスカートボードは、基部と一体化して、鉛直上向きに延びている。
【００３４】
第４の実施形態の第３の変形形態によると、衝立ては、衝立ての把持と移動を容易にするハンドルを備えている。有利にはハンドルは、衝立ての側縁部にあって中空である。
【００３５】
第５の実施形態によれば、衝立ては、枠組みに固定され床に固定されるように構成されたスカートボードを備えている。有利にはスカートボードは、ステンレス鋼製であり、これは、衝立てがいったん設置されると受けるかもしれない可能性のある衝撃に耐えるためである。
【００３６】
第６の実施形態によれば、衝立ては、外側限界を形成する周辺カバーを備えている。
【００３７】
第６の実施形態の第１の変形形態によると、周辺ケーシングは、衝立ての２つの部分品の外周縁部を覆っている。
【００３８】
第６の実施形態の第２の変形形態によれば、概ねＵ字形の形態を有する周辺ケーシングは、そのＵ字形の形態の各側部分岐部がパネルの外周縁部を覆い、そのＵ字形の形態の中央の分岐部が、対応する衝立ての縁部を形成する。
【００３９】
第６の実施形態の第３の変形形態によれば、周辺ケーシングはアルミニウム製である。
【００４０】
第７の実施形態によると、放射線防護性でないパネルは、枠に取り付けられたタブレットを保持している。有利には、タブレットは、枠に固定された固定部と、その固定部に連節された可動部とを備えている。この発明のその他の機能および利点は、非限定的な例によって与えられ添付図面に示される二つの実施例の詳細な説明に現れることになり、それらの添付図面において：
【図面の簡単な説明】
【００４１】
【図１】この発明に係る衝立ての第１の実施例の斜視図である；
【図２】図１の衝立ての枠の斜視図であり、枠組みの最下部でスカートボードが固定されている；
【図３】この発明に係る衝立ての第２の実施例の斜視図である；
【図４】図３の衝立ての枠組みの斜視図であり、枠組みの最下部で、スカートボードおよび基部が固定されている；
【図５】図３の衝立ての防護グレージングの鉛直断面図である；
【図６】グレージングビード位置での衝立ての部分の断面図である；
【図７】図３の衝立ての分解斜視図である；
【図８】発明の変形形態によるシステムの透視図である；そして
【図９】本発明にかかるシステムの中央の衝立ての透視図であり、
【図１０】本発明にかかるシステムの中央の衝立ての透視図である。
【発明を実施するための形態】
【００４２】
図１および３に、この発明に係る放射線防護衝立て１の二つの実施例を斜視図で示す。
【実施例】
【００４３】
各放射線防護衝立て１は、二つの主面２、３を備え：前面２は、電離放射線を放射する線源側にあることが意図され、後面３は、電離放射線から防護する人の側にあることが意図されている。
【００４４】
本発明によると、放射線防護衝立て１は、この衝立てを強固にして前部パネル２の側に前部パネル５を、そして後部パネル３の側に後部パネル６を保持する枠組み４を備えている。ここで、前部パネル５は、放射線防護パネルであり、後部パネル６は、非放射線防護パネルである。本実施例では、各放射線防護衝立て１は、高さが２メートル、幅が０．８メートルであり、後面３の前面２との間の距離は７２ミリメートルである。
【００４５】
放射線防護パネル５は、枠組み４に取り付けられた放射線防護シート７（典型的には、鉛シート）と、放射線防護シート７に取り付けられた非放射線防護パネル８（典型的には、後部パネル６と同一のパネル）とによって形成されている。放射線防護シート７の厚さは近似的に１から２ミリメートルである。
【００４６】
非放射線防護後部パネル６と、前部放射線防護パネル５の部分を形成する非放射線防護パネル８とは、内側パネルと外側パネルを備えている。内側パネルは、鉛シート７（放射線防護前部パネル５の場合）に、または枠組み４（非放射線防護後部パネル６の場合）に取り付けられている。外側パネルは、内側パネルを覆う。典型的には内側パネルは、合板（好ましくは良好な湿度性状を有する合板）であり、その厚さは約１２から１６ミリメートルである。典型的には外側パネルは、積層パネルであり、その厚さは、約１から２ミリメートルである。
【００４７】
枠組み４は、１０分の１２のステンレス鋼であって、部分品９、１０、１１、１２、１３の組み立て体によって形成されており、この組み立て体が、放射線防護衝立て１（各部分品はステンレス鋼製である）に強度と軽量性を与える。
【００４８】
枠組み４は、１０分の１２のステンレス鋼であって、部分品９、１０、１１、１２、１３の組み立て体によって形成されており、この組み立て体が、放射線防護衝立て１（各部分品はステンレス鋼製）に強度と軽量性を与える。
【００４９】
詳細には枠組み４は、外部部分品９、１０、１１、および内部部分品１２、１３を備えている。部分品５、６は、少なくとも内部部分品１２、１３を覆う。好ましくはこれらの内部部分品は、部分品５、６の間に配置されている。
【００５０】
各部分品９、１０、１１、１２、１３は、概ねＵ字形の形態を有しており、その部分品の各側部パネルが、パネル５、６を保持する。ここでは、各側部パネルの幅は約２０ミリメートルであり、中央の分岐部の幅は約５０ミリメートルである。
【００５１】
部分品９、１０、１１、１２、１３の組み立て体は、放射線防護衝立て１の外側境界を形成する矩形の外枠を備えている。この場合、この外枠は、二つの鉛直部分品９と、それら二つの鉛直部分品９を接続する二つの水平部分品１０、１１（二つの鉛直部分品９の上端の近くに位置する上側の水平部分品１０、および二つの鉛直部分品９の下端の近くに配置される下側の水平部分品１１）とを備えている。
【００５２】
ここでは、外枠の鉛直部分品９はＵ字形の形態を有しており、各側方分岐部１４は、ホイールベース１５を保持し、このホイールベースは中央の分岐部１６に平行であり、もう一方の側方分岐部１４の反対側にある。中央の分岐部１６は、放射線防護衝立て１の内部に配置されており、したがって外枠の縁部は、Ｕ字の開口部により形成されている。各ホイールベース１５は、幅が約１０ミリメートルである。
【００５３】
部分品９、１０、１１、１２、１３の組み立て体はまた、外枠の二つの鉛直部分品９の一方からもう一方に延びた少なくとも一つの内部水平部分品１２（ここでは４つの内部水平部分品１２）を備えている。
【００５４】
本実施例では、全ての水平部分品１０、１１、１２（外枠のものを含む）のＵ字の中央の分岐部は、中央の分岐部の主要部を形成するように互いに整列した二つの水平の壁によって形成されており、これらの二つの水平の壁は、中央のＵ字形接続部分によって互いに接続されている。中央のＵ字形部分は、中央の分岐部と二つの側方分岐部とを備えている。Ｕ字形中央結合部分の中央の分岐部は、Ｕ字の水平部分品１０、１１、１２の中央の分岐部の主要部を形成する二つの水平の壁に平行である。中央の結合部分の二つの側方分岐部は互いに、そしてＵ字の水平部分品１０、１１、１２の二つの側方分岐部に並行である。各水平の壁は、第１の方向に延びた水平部分品１０、１１、１２のＵの側方分岐部を一端で、そして第１の方向とは反対の第２の方向に延びた中央の接続部分の側方分岐部を第２の端で保持する。
【００５５】
部分品９、１０、１１、１２、１３の組み立て体はまた、二つの隣接する内部水平部分品１２の間に延びた２つの平行な内部鉛直部分品１３を備えている。本実施例では、二つの内部鉛直部分品１３は、Ｕ字形を有し、それらの長手端のそれぞれにおいて、接続壁を有し、この接続壁は、内部鉛直部分品１３の中央の分岐部によって保持され、内側の鉛直部分品１３の側方分岐部の方向とは反対の方向を向いている。二つの内部鉛直部分品の二つの接続壁１３により、これら二つの部分品１３を二つの隣接する内部水平部分品１２に固定することができる。結果として、二つの隣接する内部水平部分品１２と二つの内部鉛直部分品１３が、枠組み４内の矩形の枠を画定する。
【００５６】
パネル５、６（より正確にはパネル５、６の内側パネル）が、枠組み４の部分品の側方分岐部に取り付けられ、それらの縁部（より正確には内側および外側パネルと部分品５、６の放射線防護シート７の縁部）は、枠組み４の外枠の二つの鉛直部分品９のホイールベース１５に当接する。
【００５７】
放射線防護衝立て１は、放射線防護グレージング１７を備えている。典型的にはこの放射線防護グレージング１７は、いわゆる鉛グレージングである。それは、厚さが８．５ミリメートルである（２．２ミリメートルの厚さの鉛当量に相当する）。
【００５８】
各パネル５、６は、放射線防護グレージング１７の高さに位置する開口部１８、１９を備えている。ここで、放射線防護グレージング１７は、二つの内部鉛直部分品１３および二つの隣接する水平部分品１２の高さに位置する（より正確には、これら四つの部分品１２、１３のＵ字形開口部は、放射線防護グレージング１７の縁部に向いている）。
【００５９】
放射線防護衝立ては、二つのグレージングビード２０、２１（この場合には、アルミニウム製である）を備えており、これらは放射線防護グレージング１７とパネル５、６の開口部１８、１９との接合部に配置され、組み立てられた場合にはＵ字形部分品を形成し、その開口部１８、１９において、その中央の分岐部が、パネル５，６と接触して配置され、各側方分岐部が、それらを取り巻く。
【００６０】
第１のグレージングビード２０はＬ字形断面を有し、その第１のバー２２（組み立てられた二つのグレージングビード２０、２１のＵの中央の分岐部を形成するもの）は、内部鉛直部分品１３および隣接する水平部分品１２を取り巻き、第２の２３バーが、非放射線防護後部パネル６の開口部１８の周縁部を覆う。第１のビード２０は、一方で二つの内部鉛直部分品１３と二つの隣接する水平部分品１２とに固定され、他方で非放射線防護後部パネル６に固定される。
【００６１】
第２のグレージングビード２１は、放射線防護前部パネル５の開口部１９の周縁部を覆う単純な箱形部分である。放射線防護グレージング１７の高さでの放射線防護の連続性を保証するために、放射線防護前部パネル５の内側パネルは、すべてその開口部１９の縁部にそって、溝２４を備えている。この溝２４の中には、放射線防護１７のグレージングと、さらなる放射線防護シート２５（典型的には鉛シート）とが配置されている。さらなる放射線防護シート２５は、溝２４内に配置された放射線防護グレージング１７の一部分を覆う。第２のグレージングビード２１は、さらなる放射線防護シート２５と、溝２４を囲む内側パネルの中実部分とを完全に覆う。結果として、第２のグレージングビード２１を、放射線防護の連続性を損なうことなしにネジにより放射線防護前部パネル５に固定することができる（ネジは、第２のグレージングビード２１と、溝２４を取り囲む内側パネルの中実部分とを通過する）。
【００６２】
放射線防護衝立て１は、その縁部とその外側限界を形成する周辺ケーシング２６（ここではアルミニウム）を備えている。周辺ケーシング２６は、二つのパネル５、６の外周縁部を覆い、枠４に固定されている。
【００６３】
本実施形態では、各上側のそして側方の外周縁部については、周辺ケーシング２６が、中央パネル２８および二つの側方分岐部２９を有するＵ字形状を有する部分品２７であり、各側部パネル２９は、パネル５、６の縁部外周を覆い、中央の分岐部２８は、放射線防護衝立て１の縁部を形成している。
【００６４】
下側の周縁部については、周辺ケーシング２６はスカートボード３０によって形成されている。
【００６５】
第１の実施例では、スカートボード３０は、床に固定されて、放射線防護衝立て１を固定するようになっている。
【００６６】
第２の実施例では、スカートボード３０もまたホイール３１に取り付けられて、放射線防護衝立て１を動かせるようにしている。ここでは、各ホイール３１は、鉛直軸に沿ってスカートボード３０に対して枢動可能に搭載され、放射線防護衝立て１の向きを変え易くしている。スカートボード３０からは、基部３２（ここではステンレス鋼）が吊り下がっており、ホイール３１を取り囲んでいる。この基部３２は、スカートボード３０と枠組み４とに接続された水平の上側の壁３３、および上側の壁３３から吊り下がってホイール３１を取り囲む４つの鉛直側壁３４を備えている。典型的には側壁３４は、上側の壁３３から、地面の近傍の距離（地面から約１センチメートル）に延びている。第２の実施例ではホイール３１は、固定プレート３５の下側に固定され、このプレートの上面は上側の壁３３の下面に固定されている。
【００６７】
第２の実施例では、ホイール３１の高さで放射線防護性を保証するために、基部３２は放射線防護フィルム（典型的には、鉛シート）を備えている。基部３２の放射線防護フィルムと、放射線防護パネル５の放射線防護シートは、放射線防護の連続性を保証するように配置されている。ここで、放射線防護シートフィルムは、前面２の側に延びた上側の壁３３の部分に沿って、そして前面２の側にこれも位置している側壁３４に沿って延びている。放射線防護フィルムは、上側の壁３３の前部と前部側壁３４により覆われている。
【００６８】
最後に、放射線防護衝立て１の移動の向きを容易に決めるために、後者は、少なくとも一つのハンドル３６（ここでは、二つのハンドル３６）を備えている。この場合には、各ハンドル３６は、オリフィス３７内に配置された中空ハンドルであり、このオリフィスは、放射線防護衝立て１の側方外周縁部に付随する各部分品２７の中央の分岐部内に作られている。
【００６９】
例えば管状の中実ハンドル３８を提供することも可能である。
【００７０】
ハンドル３８は、好ましくは表面に抗菌材料を含む。例えばハンドルは、鉄または非鉄金属で金属化して低温で固化させた表面を備えている。
【００７１】
また枠組み４により、放射線防護衝立てに負荷をかけることなく剛性を与えるその特性に加えて、対象物を非放射線防護後部パネル６に確実に固定することが可能になる。この固定は、枠組み４の少なくとも一つの部分品９、１０、１１、１２、１３上で静止させることによってなされる。こうして、固定された対象物は水平の棚であってもよい。必要となる空間を制限するために、このタブレットは、枠組み４に固定された第１の部分と、第１の部分に連節された第２の部分を備えていてもよい。固定された放射線防護衝立て１の場合には、固定された対象物が、作業台であってもよい（これはまた、その他の支持体上で支持することができる）。
【００７２】
変形形態によれば、少なくとも一つ、好ましくは２つの支持腕３９を、枠組み４または後部パネル６に取り付けてもよい。支持腕３９はハンドル３８として働く。
【００７３】
さらに、そこに固定された対象物の、そしてその上に静止した材料の重量のせいで可動式放射線防護衝立て１が傾斜するのを回避するために、基部３２の上側の壁３３は、後面３の側にさらに延びている。
【００７４】
最後に、枠組み４の存在により、通路を備えた放射線防護衝立て１を有することも可能になり、この通路により、ケーブル（例えば電気ケーブル）を通して、電気機器（詳細には非放射線防護後部パネル６に固定された対象物の上に静止するもの）用の電源コンセントを有することができるようになる。
【００７５】
加えて、この衝立ては、片側または両側に少なくとも一つのステッカー４０を含んでいてもよい。ステッカー４０を使用して、衝立てを要望に応じて変更したり、印を付けたり、衝立てを装飾したりすることができる。好ましくは、ステッカーは抗菌性である。
【００７６】
本発明はさらに、互いに接続されたまたは接続可能な少なくとも二つの衝立てを備えたシステムに関し、それらの衝立ての少なくとも一つは、先に記載のとおりである。
【００７７】
好ましくはこのシステムは、一つ以上の、好ましくは２つの側部衝立てを保持する中央の衝立てを備えている。そうした追加の衝立ては、さらに多くの人を防護し、特に二つの側部衝立てを用いて４から５人を防護する。
【００７８】
変形形態によれば、中央の衝立ては、基部およびホイールを備え、好ましくは側部衝立ては、いかなるホイールも含まない。
【００７９】
一変形形態によると、これらの衝立ては、少なくとも一つの蝶番の手段によって結合されている。好ましくは蝶番は、放射線防護要素を備えている、または放射線防護パネルは、蝶番を覆う拡張部を備えている。
【００８０】
好ましくはこの衝立てまたはシステムは、衝立てまたはシステムの高さを地面に対して変えられるように構成された機構を備えている。例えば、数ミリメートルだけ高いことにより、移動がさらに容易になると同時に、地面と接触するように下げることにより、放射線防護性を向上させることが可能である。
【図１】
2019500622.tif 000003
【図２】
2019500622.tif 000004
【図３】
2019500622.tif 000005
【図４】
2019500622.tif 000006
【図５】
2019500622.tif 000007
【図６】
2019500622.tif 000008
【図７】
2019500622.tif 000009
【図８】
2019500622.tif 000010
【図９】
2019500622.tif 000011
【図１０】
2019500622.tif 000012
【国際調査報告】
2019500622.tif 000013
2019500622.tif 000014
2019500622.tif 000015
2019500622.tif 000016
2019500622.tif 000017
2019500622.tif 000018